(57)【要約】      （修正有） 【課題】Ａ４フラットファイル又はＡ４クリアファイルの大きさに対応するランドセルにも効率的に収納できる筆記具ケースを提供する。【解決手段】筆記具ケース１０は、全体薄型直方体形状に形成され、Ａ４ファイル対応型のランドセルの収納部１２内に、収納開口部１３の横幅方向に沿って収納配置可能な長さ寸法に形成されている。【選択図】図１
0003209390.tif 000002
【実用新案登録請求の範囲】
【請求項１】
Ａ４ファイル対応型のランドセルの収納部内に、収納開口部の横幅方向に沿って収納配置可能な大きさに形成されていることを特徴とする筆記具ケース。
【請求項２】
全体薄型直方体形状に形成され、上面部及び下面部に開口部を有するケース部と、前記開口部を開閉可能に被覆しうる平面長方形状の蓋体とを備え、前記ケース部に取り付けられている磁石部材に、前記蓋体の幅方向端縁部に取り付けられている金属片が磁性吸着力により吸着されることにより、前記蓋体によって前記ケース部の前記開口部を開閉しうるように構成されていることを特徴とする請求項１記載の筆記具ケース
【請求項３】
長さ寸法が２３ｃｍ以下に形成されていることを特徴とする請求項１記載の筆記具ケース。
【考案の詳細な説明】
【技術分野】
【０００１】
本考案は、筆記具ケースの改良に関する。
【背景技術】
【０００２】
一般に、低学年生が筆記具ケースとしての筆箱をランドセルに収納して持ち運ぶ場合には、ランドセルの収納部内において、収納した教科書、ノート、ファイル等とランドセル本体の内側面部との間の空いたスペース内に、ランドセルの高さ方向に沿って、筆記具ケースを縦方向に収納する場合が多かった。
【０００３】
ところで、近年、Ａ４フラットファイル又はＡ４クリアファイルの大きさに対応するランドセルが販売されている。このようなＡ４版対応ランドセルの横幅寸法は、Ａ４クリアファイル対応ランドセルの幅寸法は従来の一般的なランドセルよりも小さく形成されており、従来の一般的な大きさの筆箱を収納しようとした場合には、筆箱の長さ寸法が、収納部の横幅寸法よりも大きいことから、教科書、ノート、ファイルを収納して、収納部の上端部に形成される空隙部に、筆記具ケースをランドセルの幅方向に沿わせて長さ方向に収納しようとしても効率よく収納することができない。従って、Ａ４フラットファイル又はＡ４クリアファイルの大きさに対応するランドセルにも効率的に収納できる筆箱が望まれていた。
【０００４】
本件出願人はこのような観点から特許文献を調査し、以下の文献を抽出した（特許文献１）。しかしながら、この文献は本願考案の課題とは関連性のない文献である。
【特許文献１】実用新案登録第３１４４５６２号公報
【考案の概要】
【考案が解決しようとする課題】
【０００５】
本考案はこのような従来からの不具合を解決するためのものであって、その課題は、Ａ４フラットファイル又はＡ４クリアファイルの大きさに合わせて作られたランドセルにも効率的に収納できる筆箱を提供することにある。
【課題を解決するための手段】
【０００６】
前記課題達成のため、請求項１記載の考案にあっては、Ａ４ファイル対応型のランドセルの収納部内に、収納開口部の横幅方向に沿って収納配置可能な大きさに形成されていることを特徴とする。
【０００７】
従って、請求項１記載の考案にあっては、Ａ４ファイル対応型のランドセルの収納部内に、収納開口部の横幅方向に沿って収納配置することができる。
【０００８】
請求項２記載の考案にあっては、全体薄型直方体形状に形成され、上面部及び下面部に開口部を有するケース部と、前記開口部を開閉可能に被覆しうる平面長方形状の一対の蓋体とを備え、前記ケース部に取り付けられている磁石部材に、前記蓋体の幅方向端縁部に取り付けられている金属片が磁性吸着力により吸着されることにより、前記蓋体によって前記ケース部の前記開口部を開閉しうるように構成されていることを特徴とする。
従って、請求項２記載の考案にあっては、いわゆるマチック型筆箱に形成されている。
【０００９】
請求項３記載の考案にあっては、長さ寸法が２３ｃｍ以下に形成されていることを特徴とする。
【考案の効果】
【００１０】
請求項１記載の考案にあっては、Ａ４ファイル対応型のランドセルの収納部内に、収納開口部の横幅方向に沿って収納配置可能な大きさに形成されていることから、Ａ４ファイル対応型のランドセルの収納部内に、収納開口部の横幅方向に沿って収納配置することができる。
その結果、Ａ４ファイル対応型のランドセルにおいて、教科書、ノート、ファイル等の収納物を収納部内に収納し、収納部内においてランドセルの縦方向に筆箱を収納するスペースがない場合であっても、ノート等の収納物と蓋部との間の空いた空隙において、収納開口部の横幅方向に沿わせて筆箱を収納することができる。
【００１１】
請求項２記載の考案にあっては、請求項１記載の考案の効果に加えて、Ａ４ファイル対応型のランドセルの収納部内に、収納開口部の横幅方向に沿って収納配置することができる、いわゆるマチックタイプの筆箱からなる筆記具ケースを提供することができる。
【００１２】
請求項３記載の考案にあっては、長さ寸法が２３ｃｍ以下に形成されていることから、Ａ４クリアファイル対応のランドセルの収納部内に、筆記具ケースの長さ方向をランドセルの横幅方向に沿わせて収納することができる。
【図面の簡単な説明】
【００１３】
【図１】本考案に係る筆記具ケースの一実施の形態を示し、Ａ４クリアファイル対応型ランドセルへの収納状態を示す斜視図である。
【図２】本考案に係る筆記具ケースの一実施の形態を示し、従来の筆記具ケースとの対比した斜視図である。
【図３】従来の筆記具ケースがＡ４クリアファイル対応型ランドセルに収納できない状態を示す斜視図である。
【考案を実施するための形態】
【００１４】
以下、添付図面に示す実施の形態に基づき、本考案を詳細に説明する。
図１に示すように、本実施の形態に係る筆記具ケース１０は、Ａ４ファイル対応型のランドセル１１の収納部１２内に、収納開口部１３の横幅方向に沿って収納配置可能な大きさに形成されている。
【００１５】
本実施の形態に係る筆記具ケース１０はいわゆるマチックタイプの筆箱として形成されている。図２に示すように、本実施の形態に係る筆記具ケース１０は、全体薄型直方体形状に形成され、上面部及び下面部に開口部を有するケース部１４と、前記開口部を開閉可能に被覆しうる平面長方形状の厚さ方向に一対に配設された蓋体１５、１６とを備えている。
【００１６】
ケース部１４に取り付けられている磁石部材（図示せず）に、蓋体１５、１６の幅方向端縁部に取り付けられている金属片１７、１７が磁性吸着力により吸着されることにより、蓋体１５、１６によってケース部１４の開口部を開閉しうるように構成されている。
【００１７】
本実施の形態にあっては、幅寸法Ｌは８９ｍｍ、厚さ寸法Ｌ１は３３ｍｍ、そして長さ寸法Ｌ２は２２２ｍｍに形成されており、従来の筆記具ケース２０よりも、幅寸法、長さ寸法及び厚さ寸法が小さく形成されており、全体として大きさが約２５％低減されている。
【００１８】
従って、図１及び図３に示すように、従来の一般的な筆記具ケース２０をＡ４クリアファイル対応型のランドセル１１の収納部１３内に、収納開口部１２の横幅方向に沿わせて収納しようとしても、長さ寸法が、収納部の幅寸法よりも大きいことから、収納することは不可能であったが、本実施の形態に係る筆記具ケース１０にあっては、図１に示すように、長さ寸法Ｌ２が収納開口部１３の横幅方向に沿って収納配置可能な大きさに形成されていることから、収納部１２内に、収納部１２の長さ方向に筆記具ケース１０の長さ方向を添わせるようにして収納させることが可能となる。
【００１９】
その結果、Ａ４クリアファイル対応型ランドセル１１に収納する、教科書、ノート等の収納物１９が多い場合で、縦方向に収納するスペースがない場合であっても、収納物１９の上方において形成される空隙に、筆記具ケース１７を収納配置することが可能となる。その結果、一般のランドセルよりも小型に造られ、収納スペースが小さいＡ４クリアファイル対応型ランドセル１１であっても、収納スペースを有効活用し、筆記具ケース１０を収納することができる。
【００２０】
本実施の形態にあっては、Ａ４クリアファイル対応型ランドセル１１の収納部１２内に、収納開口部１３の横幅方向に沿って収納配置可能な大きさに形成されている場合を例に説明したが、本実施の形態に限定されず、横幅約２３ｃｍに形成されたＡ４フラットファイル対応型ランドセルの収納部内に収納することもできる。
【産業上の利用可能性】
【００２１】
本考案はＡ４ファイル対応型ランドセルに収納開口部の長さ方向に沿って収納することができるように構成されていることから、産業上の利用可能性を有している。
【符号の説明】
【００２２】
１０  筆記具ケース
１１  Ａ４ファイル対応型ランドセル
１２  収納部
１３  収納開孔部
１４  ケース部
１５  蓋体
１６  蓋体
１７  金属片
１９  収納物
２０  従来の筆記具ケース
【図１】
0003209390.tif 000003
【図２】
0003209390.tif 000004
【図３】
0003209390.tif 000005
【手続補正書】
【提出日】平成29年1月13日(2017.1.13)
【手続補正１】
【補正対象書類名】実用新案登録請求の範囲
【補正対象項目名】全文
【補正方法】変更
【補正の内容】
【実用新案登録請求の範囲】
【請求項１】
全体薄型直方体形状に形成され、Ａ４ファイル対応型のランドセルの収納部内に、収納開口部の横幅方向に沿って収納配置可能な長さ寸法に形成されていることを特徴とする筆記具ケース。
【請求項２】
全体薄型直方体形状に形成され、上面部及び下面部に開口部を有するケース部と、前記開口部を開閉可能に被覆しうる平面長方形状の蓋体とを備え、前記ケース部に取り付けられている磁石部材に、前記蓋体の幅方向端縁部に取り付けられている金属片が磁性吸着力により吸着されることにより、前記蓋体によって前記ケース部の前記開口部を開閉しうるように構成されていることを特徴とする請求項１記載の筆記具ケース。
【請求項３】
長さ寸法が２３ｃｍ以下に形成されていることを特徴とする請求項１記載の筆記具ケース。
【手続補正２】
【補正対象書類名】明細書
【補正対象項目名】全文
【補正方法】変更
【補正の内容】
【考案の詳細な説明】
【技術分野】
【０００１】
本考案は、筆記具ケースの改良に関する。
【背景技術】
【０００２】
一般に、低学年生が筆記具ケースとしての筆箱をランドセルに収納して持ち運ぶ場合には、ランドセルの収納部内において、収納した教科書、ノート、ファイル等とランドセル本体の内側面部との間の空いたスペース内に、ランドセルの高さ方向に沿って、筆記具ケースを縦方向に収納する場合が多かった。
【０００３】
ところで、近年、Ａ４フラットファイル又はＡ４クリアファイルの大きさに対応するランドセルが販売されている。このようなＡ４版対応ランドセルの横幅寸法は、Ａ４クリアファイル対応ランドセルの幅寸法は従来の一般的なランドセルよりも小さく形成されており、従来の一般的な大きさの筆箱を収納しようとした場合には、筆箱の長さ寸法が、収納部の横幅寸法よりも大きいことから、教科書、ノート、ファイルを収納して、収納部の上端部に形成される空隙部に、筆記具ケースをランドセルの幅方向に沿わせて長さ方向に収納しようとしても効率よく収納することができない。従って、Ａ４フラットファイル又はＡ４クリアファイルの大きさに対応するランドセルにも効率的に収納できる筆箱が望まれていた。
【０００４】
本件出願人はこのような観点から特許文献を調査し、以下の文献を抽出した（特許文献１）。しかしながら、この文献は本願考案の課題とは関連性のない文献である。
【特許文献１】実用新案登録第３１４４５６２号公報
【考案の概要】
【考案が解決しようとする課題】
【０００５】
本考案はこのような従来からの不具合を解決するためのものであって、その課題は、Ａ４フラットファイル又はＡ４クリアファイルの大きさに合わせて作られたランドセルにも効率的に収納できる筆箱を提供することにある。
【課題を解決するための手段】
【０００６】
前記課題達成のため、請求項１記載の考案にあっては、全体薄型直方体形状に形成され、Ａ４ファイル対応型のランドセルの収納部内に、収納開口部の横幅方向に沿って収納配置可能な長さ寸法に形成されていることを特徴とする。
【０００７】
従って、請求項１記載の考案にあっては、Ａ４ファイル対応型のランドセルの収納部内に、収納開口部の横幅方向に沿って収納配置することができる。
【０００８】
請求項２記載の考案にあっては、全体薄型直方体形状に形成され、上面部及び下面部に開口部を有するケース部と、前記開口部を開閉可能に被覆しうる平面長方形状の一対の蓋体とを備え、前記ケース部に取り付けられている磁石部材に、前記蓋体の幅方向端縁部に取り付けられている金属片が磁性吸着力により吸着されることにより、前記蓋体によって前記ケース部の前記開口部を開閉しうるように構成されていることを特徴とする。
従って、請求項２記載の考案にあっては、いわゆるマチック型筆箱に形成されている。
【０００９】
請求項３記載の考案にあっては、長さ寸法が２３ｃｍ以下に形成されていることを特徴とする。
【考案の効果】
【００１０】
請求項１記載の考案にあっては、全体薄型直方体形状に形成され、Ａ４ファイル対応型のランドセルの収納部内に、収納開口部の横幅方向に沿って収納配置可能な長さ寸法に形成されていることから、Ａ４ファイル対応型のランドセルの収納部内に、収納開口部の横幅方向に沿って収納配置することができる。
その結果、Ａ４ファイル対応型のランドセルにおいて、教科書、ノート、ファイル等の収納物を収納部内に収納し、収納部内においてランドセルの縦方向に筆箱を収納するスペースがない場合であっても、ノート等の収納物と蓋部との間の空いた空隙において、収納開口部の横幅方向に沿わせて筆箱を収納することができる。
【００１１】
請求項２記載の考案にあっては、請求項１記載の考案の効果に加えて、Ａ４ファイル対応型のランドセルの収納部内に、収納開口部の横幅方向に沿って収納配置することができる、いわゆるマチックタイプの筆箱からなる筆記具ケースを提供することができる。
【００１２】
請求項３記載の考案にあっては、長さ寸法が２３ｃｍ以下に形成されていることから、Ａ４クリアファイル対応のランドセルの収納部内に、筆記具ケースの長さ方向をランドセルの横幅方向に沿わせて収納することができる。
【図面の簡単な説明】
【００１３】
【図１】本考案に係る筆記具ケースの一実施の形態を示し、Ａ４クリアファイル対応型ランドセルへの収納状態を示す斜視図である。
【図２】本考案に係る筆記具ケースの一実施の形態を示し、従来の筆記具ケースとの対比した斜視図である。
【図３】従来の筆記具ケースがＡ４クリアファイル対応型ランドセルに収納できない状態を示す斜視図である。
【考案を実施するための形態】
【００１４】
以下、添付図面に示す実施の形態に基づき、本考案を詳細に説明する。
図１に示すように、本実施の形態に係る筆記具ケース１０は、Ａ４ファイル対応型のランドセル１１の収納部１２内に、収納開口部１３の横幅方向に沿って収納配置可能な大きさに形成されている。
【００１５】
本実施の形態に係る筆記具ケース１０はいわゆるマチックタイプの筆箱として形成されている。図２に示すように、本実施の形態に係る筆記具ケース１０は、全体薄型直方体形状に形成され、上面部及び下面部に開口部を有するケース部１４と、前記開口部を開閉可能に被覆しうる平面長方形状の厚さ方向に一対に配設された蓋体１５、１６とを備えている。
【００１６】
ケース部１４に取り付けられている磁石部材（図示せず）に、蓋体１５、１６の幅方向端縁部に取り付けられている金属片１７、１７が磁性吸着力により吸着されることにより、蓋体１５、１６によってケース部１４の開口部を開閉しうるように構成されている。
【００１７】
本実施の形態にあっては、幅寸法Ｌは８９ｍｍ、厚さ寸法Ｌ１は３３ｍｍ、そして長さ寸法Ｌ２は２２２ｍｍに形成されており、従来の筆記具ケース２０よりも、幅寸法、長さ寸法及び厚さ寸法が小さく形成されており、全体として大きさが約２５％低減されている。
【００１８】
従って、図１及び図３に示すように、従来の一般的な筆記具ケース２０をＡ４クリアファイル対応型のランドセル１１の収納部１３内に、収納開口部１２の横幅方向に沿わせて収納しようとしても、長さ寸法が、収納部の幅寸法よりも大きいことから、収納することは不可能であったが、本実施の形態に係る筆記具ケース１０にあっては、図１に示すように、長さ寸法Ｌ２が収納開口部１３の横幅方向に沿って収納配置可能な大きさに形成されていることから、収納部１２内に、収納部１２の長さ方向に筆記具ケース１０の長さ方向を添わせるようにして収納させることが可能となる。
【００１９】
その結果、Ａ４クリアファイル対応型ランドセル１１に収納する、教科書、ノート等の収納物１９が多い場合で、縦方向に収納するスペースがない場合であっても、収納物１９の上方において形成される空隙に、筆記具ケース１７を収納配置することが可能となる。
その結果、一般のランドセルよりも小型に造られ、収納スペースが小さいＡ４クリアファイル対応型ランドセル１１であっても、収納スペースを有効活用し、筆記具ケース１０を収納することができる。
【００２０】
本実施の形態にあっては、Ａ４クリアファイル対応型ランドセル１１の収納部１２内に、収納開口部１３の横幅方向に沿って収納配置可能な大きさに形成されている場合を例に説明したが、本実施の形態に限定されず、横幅約２３ｃｍに形成されたＡ４フラットファイル対応型ランドセルの収納部内に収納することもできる。
【産業上の利用可能性】
【００２１】
本考案はＡ４ファイル対応型ランドセルに収納開口部の長さ方向に沿って収納することができるように構成されていることから、産業上の利用可能性を有している。
【符号の説明】
【００２２】
１０  筆記具ケース
１１  Ａ４ファイル対応型ランドセル
１２  収納部
１３  収納開孔部
１４  ケース部
１５  蓋体
１６  蓋体
１７  金属片
１９  収納物
２０  従来の筆記具ケース